(57)【要約】【課題】本発明は空気調和機の外郭構造、および空気調和機の外郭構造に用いる柱状構成材に関し、特に骨格材および外装パネルの組立および分解が容易でリサイクル性を発揮し、仕上がり精度が高く、断熱性を優れたものにする。【解決手段】金属板７を幅方向の３個所にて９０度づつ折曲して断面略四角柱をなし、かつ一隅角部には所望幅Ｓの開放部８を長手方向Ｐに設けた柱状構成材９により形成される支柱１０および横装部材１１，１１′と、少なくとも該支柱と横装部材とを交叉して接合する接合部１２の内側に当接され、前記支柱と横装部材とを着脱可能に取付けるコーナ金具１３とにより骨格３を組立可能、かつ分解可能に形成する。【選択図】　　　図１
2004076990.tif 000002
【特許請求の範囲】
【請求項１】
金属板を幅方向の３個所にて９０度づつ折曲して断面略四角柱をなし、かつ一隅角部には所望幅の開放部を長手方向に設けた柱状構成材により形成される支柱および横装部材と、少なくとも該支柱と横装部材とを交叉して接合する接合部の内側に当接され、前記支柱と横装部材とを着脱可能に取付けるコーナ金具とにより骨格を組立可能、かつ分解可能に形成することを特徴とする空気調和機の外郭構造。
【請求項２】
横装部材相互を交叉して接合する接合部の内側にコーナ金具を当接することにより骨格を組立可能、かつ分解可能に取付けることを特徴とする請求項１に記載の空気調和機の外郭構造。
【請求項３】
コーナ金具は、金属板により２つの取付片を側面略９０度に折曲して形成され、支柱および横装部材が交叉して接合される内辺部にビス頭部が骨格の外側に配置しないようにビス止めされることを特徴とする請求項１または請求項２の何れかに記載の空気調和機の外郭構造。
【請求項４】
金属板よりなる１枚の外側パネル部と該外側パネル部の内側に重合して設けられる断熱パネル部とにより形成されるか、または金属板よりなる内外２枚の内側パネル部および外側パネル部と、該内側パネル部および外側パネル部に挟まれる断熱パネル部とにより形成される外装パネルを骨格の外側に着脱自在に取付けることを特徴とする請求項１、請求項２、または請求項３の何れかに記載の空気調和機の外郭構造。
【請求項５】
金属板の左右２個所を長手方向にわたり略９０度に折曲して対向する折曲片を設ける工程と、前記金属板を雌型に載置する工程と、該雌型の上面に形成される断面Ｖ字状の凹状溝の最深部に合致してベンダーの雄刃を進出させることにより該ベンダーと雌型とにより上下から押圧力を付与して金属板の略中央部を略９０度長手方向に折曲する工程とにより金属板を３個所にて９０度づつ折曲して断面略四角柱をなし、かつ一隅角部には前記ベンダーが進退可能な所望幅の開放部を長手方向に設けた柱状構成材を形成するとともに、該柱状構成材により形成される支柱および該支柱に交叉して接合される横装部材とを組合わせて骨格を組立可能、かつ分解可能に空気調和機の外郭構造に用いることを特徴とする柱状構成材。
【発明の詳細な説明】
【０００１】
【発明の属する技術分野】
本発明は空気調和機の外郭構造、および空気調和機の外郭構造に用いる柱状構成材に関し、特に骨格および外装パネルの組立および分解が容易でリサイクル性を発揮し、仕上がり精度が高く、断熱性を優れたものにする。
【０００２】
【従来の技術】
従来、例えば建物の機械室内に備えられる比較的大型の空気調和機の外郭構造は、図１４および図１５に示すように骨格ａが主としてアングル材ｂと呼ばれる等辺山形鋼を溶接して造り上げられ、外装パネルｄとして断熱材ｅを内貼りした外装鋼板ｆをビス止めした外郭構造が多く用いられていた。そして、骨格ａは、等辺山形鋼の接合部を専門の技術者が全て溶接するという手法により、専門の技術者が例えば電気溶接を行うことにより組立を行っていた。
【０００３】
【発明が解決しようとする課題】
しかしながら、図１４および図１５に示す上記従来の空気調和機の外郭構造においては、骨格ａを組上げるのに、例えば専門の技術者が例えば等辺山形鋼よりなるアングル材ｂを電気溶接を行うことにより行っていたので、組上げには専門の溶接技能が必要になり、一般の作業者が容易にはできないものであった。
つまり、骨格ａは熟練した職人によってしか、うまく組立、製作ができなかった。従って、これらの職人を養成し、また、雇用を維持するためには多くの費用を必要としていた。
しかも、溶接によりアングル材ｂを略箱状に接合して骨格ａを組上げるので、一旦組上げられた骨格ａを分解するには、例えば酸素切断機等を用いて切断しなければ分解することができなかった。このことは、大きな略箱状の骨格ａを組み上げた後は、輸送する場合でも、小さく分割して輸送を行えないことを意味する。
つまり、空気調和機を製造する場合に、骨格ａを製造工程毎に分けて、複数の工場にて製造工程段階毎に分担して製作しようとしても、溶接により一体化されて分割したり、分解のできない溶接構造の骨格ａは、組立てられた大きなままで移送を行わなければならず、取扱いが容易ではなく、輸送には多くの労力がかかり輸送費が増大し、生産効率が悪いものであった。
また、耐用年数を過ぎた空気調和機を廃棄する場合において、骨格ａにビス止めされた外装鋼板ｄは、骨格ａから取り外すことができるが、溶接構造の骨格ａは分解することができず、組立られた大きな格好のまま搬出しなければならないために、建物の機械室の壁を壊して、壁に大きな開口部を確保して行わなければならなかった。
また、建物の機械室の壁に限られた大きさの搬送用開口部しか得られない場合に、機械室内において、型鋼材製の骨格ａを小さく切断して上で搬出しようとしても、酸素切断機やプラズマ切断機など火気を使用する機械は、建物の防災上の観点から使用不可となるケースが多く、搬出する上で大きな障害になっていた。このような問題点が、耐用年数を過ぎ、様々な点で効率が低下した古い空気調和機を更新する上で妨げになっていた。つまり、新品の空気調和機を設置するための費用の中に、古い空気調和機を撤去し、搬出するための費用の割合が、非常に大きいものになっていた。このため、機械や建物の所有者、管理者が設備機械の更新をためらわせる大きな原因になっていた。
【０００４】
本発明は上記課題に鑑みなされ、一般の作業者が費用を要することとなく迅速且つ確実に組立、製作が行えるとともに例えば耐用年数が過ぎて廃棄する場合にも建物の壁に開口部を確保したり、酸素切断機、プラズマ切断機等の機械設備や多大な費用を要することなく容易に分解が行え、以て取扱と輸送が労力がかからずに楽に行え、しかも空気調和機を製造工程毎に分業化して複数の工場で製作して生産効率が向上し、また古い空気調和機を撤去し、新品と交換するのに費用が低廉になり、さらには構造簡単で部品数も少なく製作コストが安価な空気調和機の外郭構造、および空気調和機の外郭構造に用いる柱状構成材を提供しようとする。
【０００５】
【課題を解決するための手段】
本発明は上記課題に鑑みなされ、請求項１に記載の発明は、金属板を幅方向の３個所にて９０度づつ折曲して断面略四角柱をなし、かつ一隅角部には所望幅の開放部を長手方向に設けた柱状構成材により形成される支柱および横装部材と、少なくとも該支柱と横装部材とを交叉して接合する接合部の内側に当接され、前記支柱と横装部材とを着脱可能に取付けるコーナ金具とにより骨格を組立可能、かつ分解可能に形成することを特徴とするという手段を採用した。
【０００６】
また、本発明の請求項２に記載の発明は、請求項１において横装部材相互を交叉して接合する接合部の内側にコーナ金具を当接することにより骨格を組立可能、かつ分解可能に取付けることを特徴とするという手段を採用した。
【０００７】
また、本発明の請求項３に記載の発明は、請求項１または請求項２の何れかにおいてコーナ金具は、金属板により２つの取付片を側面略９０度に折曲して形成され、支柱および横装部材が交叉して接合される内辺部にビス頭部が外側に配置しないように骨格にビス止めされることを特徴とするという手段を採用した。
【０００８】
また、本発明の請求項４に記載の発明は、請求項１、請求項２、または請求項３の何れかにおいて金属板よりなる１枚の外側パネル部と該外側パネル部の内側に重合して設けられる断熱パネル部とにより形成されるか、または金属板よりなる内外２枚の内側パネル部および外側パネル部と、該内側パネル部および外側パネル部に挟まれる断熱パネル部とにより形成される外装パネルを骨格の外側に着脱自在に取付けることを特徴とするという手段を採用した。
【０００９】
また、本発明の請求項５に記載の発明は、金属板の左右２個所を長手方向にわたり略９０度に折曲して対向する折曲片を設ける工程と、前記金属板を雌型に載置する工程と、該雌型の上面に形成される断面Ｖ字状の凹状溝の最深部に合致してベンダーの雄刃を進出させることにより該ベンダーと雌型とにより上下から押圧力を付与して金属板の略中央部を略９０度長手方向に折曲する工程とにより金属板を３個所にて９０度づつ折曲して断面略四角柱をなし、かつ一隅角部には前記ベンダーが進退可能な所望幅の開放部を長手方向に設けた柱状構成材を形成するとともに、該柱状構成材により形成される支柱および該支柱に交叉して接合される横装部材とを組合わせて骨格を組立可能、かつ分解可能に空気調和機の外郭構造に用いることを特徴とするという手段を採用した。
【００１０】
【発明の実施の形態】
以下、図面に従って本発明の実施の形態の具体例を説明する。
図１は本発明の一実施形態を示す斜視図、図２は同じく拡大斜視図、図３は骨格のみを示す斜視図、図４は分解斜視図、図５は内部機構を示す斜視図、図６は骨格に対する被閉板の取付状態を示す断面図、図７は本実施形態を構成する外装パネルを示す斜視図、図８ないし図１３は本実施形態を構成する柱状構成材を製造する場合の各工程を示し、このうち図８は柱状構成材を形成する金属板の断面図、図９は第２工程において金属板の左右に折曲片を形成した断面図、第１０は金属板を型枠の上面に載置した断面図、図１１は折り曲げ工作機械としてのベンダーにて押圧力を付与して金属板の略中央を折曲する状態を示す断面図、図１２は金属板を折曲した状態を示す断面図、図１３は柱状構成材の完成品を示す斜視図、１４は従来の空気調和機の外郭構造を示す分解斜視図、図１５は同じく骨格を構成するアングル材の斜視図である。
【００１１】
１は空気調和機であり、この空気調和機１は、例えば図５に示すように架台２の上に骨格３が形成される。そして、骨格３内には、モータＭによりファンが回転可能になる送風機４と、熱交換コイル５と、エアフィルタ６とが内蔵される。
【００１２】
前記骨格３は、本実施形態では、例え図１３に示すように金属板７を幅方向Ｗの３個所にて９０度づつ折曲して断面略四角柱をなし、かつ一隅角部には所望幅Ｓの開放部８を長手方向Ｐに設けた柱状構成材９により形成される支柱１０と、および横装部材１１，１１′と、少なくとも該支柱１０と横装部材１１，１１′とを交叉して接合する接合部１２の内側に当接され、前記支柱１０と横装部材１１，１１′とを着脱可能に取付るコーナ金具１３とにより形成される。そして、骨格３は、前述のようにコーナ金具１３を支柱１０と横装部材１１，１１′とを交叉して接合する接合部１２の内側に当接することにより適宜固着手段にて組立可能、かつ分解可能に形成される。また、架台２と骨格３とは図には示さないボルトにより結合される。
【００１３】
本実施形態では、骨格３を形成する場合に、例えば図１に示すように前後対向して配置される６本の支柱１０と、上方および下方にそれぞれ前後対向して配置される長い長さの横装部材１１が４本と、骨格３の上方および下方に左右対向して配置されるとともに上方の左右何れかの端、例えば図１の右方から略１／３の位置に前後対向して配置される短い長さの横装部材１１′が合計５本、使用される。
【００１４】
前記柱状構成材９は、例えば図８ないし図１３に示す工程を経て形成される。先ず、第１工程として、図８に示すような金属板７の左右２個所を長手方向Ｐにわたり略９０度に折曲して対向する折曲片９ａ，９ａを設ける（図９参照）。この時、用いられる金属板７は鋼板の他、アルミ板等を用いることができ、アルミ材を使用したものは加工し易くより軽量である。
次いで、第２工程として、金属板７を雌型１４に載置する（図１０参照）。
【００１５】
また、第３工程として、雌型１４の上面に形成される断面Ｖ字状の凹状溝１５の最深部１５ａに合致して折り曲げ工作機械としてのベンダー１６の雄刃１６ａを進出させることにより該ベンダー１６と雌型１５とにより上方から押圧力Ｇを金属板７に付与して金属板７の略中央部を略９０度長手方向Ｐに折曲する工程により金属板７を３個所Ｔ１、Ｔ２、Ｔ３にて９０度づつ内方に折曲して断面略四角柱をなし、かつ一隅角部には前記ベンダー１６が進退可能な所望幅Ｓの開放部８を長手方向Ｐに設ける柱状構成材９を形成する（図１１、図１２参照）。
【００１６】
前記コーナ金具１３は、金属板１７により２つの取付片１３ａ，１３ｂを側面略９０度に折曲して形成され、支柱１０および横装部材１１，１１′が縦横に交叉して接合される内辺部１８に前記固着手段としてのビス頭部１９ａが外側に配置されないように骨格３にビス止めされる。１３ｃは取付片１３ａ，１３ｂ間に介在されることにより取付片１３ａ，１３ｂを支持するための側面略三角形の支持板部である。
【００１７】
２０は骨格３の外側に着脱自在に取付けられる外装パネルであり、この外装パネル２０は例えば図２に示すように金属板よりなる内外２枚の内側パネル部２１および外側パネル部２２と、該内側パネル部２１および外側パネル部２２に挟まれる断熱パネル部２３とにより形成されるが、これは例示であり、例えば図７に示す他の外装パネル２０′のように金属板よりなる１枚の外側パネル部２２′と該外側パネル部２２′の内側に重合して設けられる断熱パネル部２３′とにより形成されるものであってもよい。前記断熱パネル部２３，２３′は、例えばガラス繊維、フェルトのような繊維物、ポリウレタン・フォームのような合成樹脂発泡体等が好適に使用される。
図６において２４は被閉板であり、この被閉板２４は骨格３の端部を被閉するものであり、例えば合成樹脂板が使用される。
【００１８】
本発明の一実施形態は以上の構成からなり、空気調和機１の外郭構造を組立てるのには、鋼板の他、アルミ板等の金属板７を幅方向Ｗの３個所にて９０度づつ折曲して断面略四角柱をなし、かつ一隅角部には所望幅Ｓの開放部８を長手方向Ｐに設けた柱状構成材９により形成される６本の支柱１０と、上下４本の長い長さの横装部材１１と、上下の短い長さの５本の横装部材１１′とを用意する。
【００１９】
そして、これらの支柱１０と横装部材１１、また支柱１０と横装部材１１′、横装部材１１，１１′相互との間の縦横に交叉して接合する接合部１２の内辺部１８にコーナ金具１３を当接する。そして、金属板１７を側面略９０度に折曲して形成されるコーナ金具１３の２つの取付片１３ａ，１３ｂを適宜固着手段、例えばビス１９を用いてビス頭部１９ａが外側に配置しないようにビス止めすれば、骨格３を組上げることができる。従って、一般の作業者でも骨格３を組み上げることができ、空気調和機１の製作および組立は容易になる。この時、図１に示すような骨格３を組み上げるのには３０個のコーナ金具１３が必要になる。
【００２０】
また、例えば図７に示すように、金属板よりなる１枚の外側パネル部２２′と該外側パネル部２２′の内側に重合して設けられる断熱パネル部２３′とにより形成される外装パネル２０′を組立てられた骨格３の周囲の外側にビス止めし、空気調和機１を製造する。ところで、例えば図２に示すように金属板よりなる内外２枚の内側パネル部２１および外側パネル部２２と、該内側パネル部２１および外側パネル部２２に挟まれる断熱パネル部２３とにより形成される外装パネル２０を骨格３の周囲外側にビス止めする場合にも、本実施形態では、コーナ金具１３に対してビス頭部１９ａが外側に配置しないようにビス１９はビス止めされるので、ビス頭部１９ａが外側に突出して邪魔されることなく外装パネル２０を骨格３の外側に密着して容易かつ確実に取付を行うことができる。
【００２１】
また、支柱１０、横装部材１１，１１′をなす柱状構成材９は、鋼板の他、アルミ板等の金属板７を幅方向Ｗの３個所にて９０度づつ折曲して断面略四角柱をなし、かつ一隅角部には所望幅Ｓの開放部８を長手方向Ｐに設けて形成されるので、成形は金属板７を所定手順に折曲げるだけで容易に行え、製作コストは安価になり、しかも軽量して取扱および運搬は楽に行え、さらには骨組３自体の強度は向上され、構造堅牢な仕上がりになる。
【００２２】
また、例えば耐用年数を過ぎた空気調和機１を廃棄する場合において、先ず、骨組３にビス止めされた外装パネル２０または外装パネル２０′を骨組３から取り外す。
次いで、骨組３からビス１９を螺退することにより支柱１０と横装部材１１と、支柱１０と横装部材１１′と、横装部材１１，１１′相互とが縦横に交叉して接合する接合部１２の内辺部１８からコーナ金具１３を取外すことにより支柱１０と横装部材１１と、支柱１０と横装部材１１′と、横装部材１１，１１′相互との結合を解き、骨格３を組立を行う前の支柱１０と、横装部材１１，１１′とに分解することができる。
【００２３】
従って、図１４および図１５に示す従来の空気調和機の外郭構造のように骨格が分解されずに、組立られた大きな格好のまま搬出しなければならないという不都合がなくなり、例えば建物の機械室の壁を壊して、壁に大きな開口部を確保しなくても済む。しかも、限られた大きさの搬送用開口部しか壁に得られない場合に、機械室内において、型鋼材製の骨組を小さく切断した上で搬出しなくても済む。このため、労力および費用は大幅に削減され、機械室内において酸素切断機やプラズマ切断機など火気を使用した機械を用いなくても済み、建物の防災上の観点からの大きな障害がなくなる。
そして、耐用年数を過ぎ、様々な点で効率が低下した古い空気調和機を更新する上で取扱いおよび運搬が容易になって撤去が、スムーズに行え、機械や建物の所有者、管理者が設備機械の更新のため新品の空気調和機１を設置するのが容易になるとともに資源のリサイクルがはかれ、資源を保護することができる。
【００２４】
【発明の効果】
本発明の請求項１に記載の発明は以上のように、金属板を幅方向の３個所にて９０度づつ折曲して断面略四角柱をなし、かつ一隅角部には所望幅の開放部を長手方向に設けた柱状構成材により形成される支柱および横装部材と、少なくとも該支柱と横装部材とを交叉して接合する接合部の内側に当接され、前記支柱と横装部材とを着脱可能に取付けるコーナ金具とにより骨格を組立可能、かつ分解可能に形成することを特徴とし、また、本発明の請求項５に記載の発明は、金属板の左右２個所を長手方向にわたり略９０度に折曲して対向する折曲片を設ける工程と、前記金属板を雌型に載置する工程と、該雌型の上面に形成される断面Ｖ字状の凹状溝の最深部に合致してベンダーの雄刃を進出させることにより該ベンダーと雌型とにより上下から押圧力を付与して金属板の略中央部を略９０度長手方向に折曲する工程とにより金属板を３個所にて９０度づつ折曲して断面略四角柱をなし、かつ一隅角部には前記ベンダーが進退可能な所望幅の開放部を長手方向に設けた柱状構成材を形成するとともに、該柱状構成材により形成される支柱および該支柱に交叉して接合される横装部材とを組合わせて骨格を組立可能、かつ分解可能に空気調和機の外郭構造に用いることを特徴とするので、一般の作業者が費用を要することとなく迅速且つ確実に組立、製作が行えるとともに例えば空気調和機の耐用年数が過ぎて廃棄する場合にも建物の壁に開口部を確保したり、酸素切断機、プラズマ切断機等の機械設備を必要とせずに、しかも多大な費用を要することなく容易に分解が行える。このため、取扱と輸送が労力がかからずに楽に行え、しかも製造工程毎に分業化して複数の工場での製作が行えるので、生産効率が向上し、また古い空気調和機を撤去し、新品と交換する場合に、費用が低廉になり、さらには本発明は、構造簡単で部品数も少なく製作コストが安価になる。
【００２５】
また、本発明の請求項２に記載の発明は、請求項１において横装部材相互を交叉して接合する接合部の内側にコーナ金具を当接することにより骨格を組立可能、かつ分解可能に取付けることを特徴とするので、一般の作業者が費用を要することとなく迅速且つ確実に骨格の組立、製作が行えるとともに例えば空気調和機の耐用年数が過ぎて廃棄する場合にも建物の壁に開口部を確保したり、酸素切断機、プラズマ切断機等の機械設備を必要とせずに、しかも多大な費用を要することなく容易に分解が行える。
【００２６】
また、本発明の請求項３に記載の発明は、請求項１または請求項２の何れかにおいてコーナ金具は、金属板により２つの取付片を側面略９０度に折曲して形成され、支柱および横装部材が交叉して接合される内辺部にビス頭部が外側に配置しないように骨格にビス止めされることを特徴とするので、一般の作業者が費用を要することとなく迅速且つ確実に骨格の組立、製作が行えるとともに例えば空気調和機の耐用年数が過ぎて廃棄する場合にも建物の壁に開口部を確保したり、酸素切断機、プラズマ切断機等の機械設備を必要とせずに、しかも多大な費用を要することなく容易に分解が行える。
【００２７】
また、本発明の請求項４に記載の発明は、請求項１、請求項２、または請求項３の何れかにおいて金属板よりなる１枚の外側パネル部と該外側パネル部の内側に重合して設けられる断熱パネル部とにより形成されるか、または金属板よりなる内外２枚の内側パネル部および外側パネル部と、該内側パネル部および外側パネル部に挟まれる断熱パネル部とにより形成される外装パネルを骨格の外側に着脱自在に取付けることを特徴とするので、製作および組立は容易になり、断熱性に優れ、骨格への取付も簡単に行える。
【図面の簡単な説明】
【図１】図１は本発明の一実施形態を示す斜視図である。
【図２】図２は同じく拡大斜視図である。
【図３】図３は骨格のみを示す斜視図である。
【図４】図４は同じく骨格の分解斜視図である。
【図５】図５は空気調和機の内部機構を示す斜視図である。
【図６】図６は骨格に対する被閉板の取付状態を示す断面図である。
【図７】図７は本実施形態を構成する外装パネルを示す斜視図である。
【図８】図８は本実施形態を構成する柱状構成材を製造する金属板の断面図である。
【図９】図９は第２工程において金属板の左右に折曲片を形成した断面図である。
【図１０】第１０は金属板を型枠の上面に載置した断面図である。
【図１１】図１１は折り曲げ工作機械としてのベンダーにて押圧力を付与して金属板の略中央を折曲する状態を示す断面図である。
【図１２】図１２は金属板を折曲した状態を示す断面図である。
【図１３】図１３は柱状構成材の完成品を示す斜視図である。
【図１４】１４は従来の空気調和機の外郭構造を示す分解斜視図である。
【図１５】図１５は同じく骨格を構成するアングル材の斜視図である。
【符号の説明】
１　　　空気調和機
３　　　骨格
８　　　開放部
９　　　柱状構成材
１０　　支柱
１１　　横装部材
１１′　横装部材
１２　　接合部
１３　　コーナ金具
１４　　雌型
１６　　ベンダー
１８　　内辺部
１９　　ビス
２０　　外装パネル
２０′　外装パネル
【図１】
2004076990.tif 000003
【図２】
2004076990.tif 000004
【図３】
2004076990.tif 000005
【図４】
2004076990.tif 000006
【図５】
2004076990.tif 000007
【図６】
2004076990.tif 000008
【図７】
2004076990.tif 000009
【図８】
2004076990.tif 000010
【図９】
2004076990.tif 000011
【図１０】
2004076990.tif 000012
【図１１】
2004076990.tif 000013
【図１２】
2004076990.tif 000014
【図１３】
2004076990.tif 000015
【図１４】
2004076990.tif 000016
【図１５】
2004076990.tif 000017